(57)【要約】【課題】  ビードワイヤの巻き回し終端部への応力集中に起因する周辺の部材の界面剥離を防止すると共に、巻き回し終端部の跳ね上がりを抑制することを可能にした空気入りタイヤ及びその製造方法を提供する。【解決手段】  単一のビードワイヤＷを連続的に巻回して得られる複数の周回部分５ａをタイヤ軸方向に並べると共にタイヤ径方向に積層することで形成されたビードコア５と、該ビードコア５の径方向外側に配置された断面三角形状のゴム組成物からなるビードフィラー６とをビード部３に埋設した空気入りタイヤにおいて、ビードワイヤＷの巻き回し終端部Ｅをビードコア５の径方向の最外層に配置すると共に、巻き回し終端部Ｅをその内層の周回部分５ａに対して交差させながらビードフィラー６の幅方向両端よりも中央側となる位置に配置し、その位置で巻き回し終端部Ｅをビードコア５とビードフィラー６との間に挟み込む。【選択図】  図２
2013141919.tif 000002
【特許請求の範囲】
【請求項１】
単一のビードワイヤを連続的に巻回して得られる複数の周回部分をタイヤ軸方向に並べると共にタイヤ径方向に積層することで形成されたビードコアと、該ビードコアの径方向外側に配置された断面三角形状のゴム組成物からなるビードフィラーとをビード部に埋設した空気入りタイヤにおいて、前記ビードワイヤの巻き回し終端部を前記ビードコアの径方向の最外層に配置すると共に、前記巻き回し終端部をその内層の周回部分に対して交差させながら前記ビードフィラーの幅方向両端よりも中央側となる位置に配置し、その位置で前記巻き回し終端部を前記ビードコアと前記ビードフィラーとの間に挟み込んだことを特徴とする空気入りタイヤ。
【請求項２】
前記ビードフィラーの前記ビードコアと接する面に前記巻き回し終端部を内包する窪みを設けたことを特徴とする請求項１に記載の空気入りタイヤ。
【請求項３】
前記ビードコアと前記ビードフィラーとの間に前記巻き回し終端部の変位を抑制するための変位抑制部材を挿入したことを特徴とする請求項１又は２に記載の空気入りタイヤ。
【請求項４】
前記ビードワイヤの巻き回し終端部を除く前記ビードコアの本体部分の横断面形状が実質的に四角形となるように前記ビードワイヤを配列したことを特徴とする請求項１〜３のいずれかに記載の空気入りタイヤ。
【請求項５】
前記ビードワイヤの前記巻き回し終端部を除く前記ビードコアの本体部分の横断面形状が実質的に六角形となるように前記ビードワイヤを配列したことを特徴とする請求項１〜３のいずれかに記載の空気入りタイヤ。
【請求項６】
単一のビードワイヤを連続的に巻回して得られる複数の周回部分をタイヤ軸方向に並べると共にタイヤ径方向に積層することで形成されたビードコアと、該ビードコアの径方向外側に配置された断面三角形状のゴム組成物からなるビードフィラーとをビード部に埋設した空気入りタイヤを製造する方法において、前記ビードワイヤの巻き回し終端部を前記ビードコアの径方向の最外層に配置すると共に、前記巻き回し終端部をその内層の周回部分に対して交差させながら前記ビードフィラーの幅方向両端よりも中央側となる位置に配置し、その位置で前記巻き回し終端部を前記ビードコアと前記ビードフィラーとの間に挟み込んで該ビードコアと該ビードフィラーとからなるビード組立体を形成した後、該ビード組立体を含むグリーンタイヤを成形し、該グリーンタイヤを加硫することを特徴とする空気入りタイヤの製造方法。
【請求項７】
前記ビードフィラーの前記ビードコアと接する面に前記巻き回し終端部を内包する窪みを設けることを特徴とする請求項６に記載の空気入りタイヤの製造方法。
【請求項８】
前記ビードコアと前記ビードフィラーとの間に前記巻き回し終端部の変位を抑制するための変位抑制部材を挿入することを特徴とする請求項６又は７に記載の空気入りタイヤの製造方法。
【請求項９】
前記ビードワイヤの前記巻き回し終端部を除く前記ビードコアの本体部分の横断面形状が実質的に四角形となるように前記ビードワイヤを配列することを特徴とする請求項６〜８のいずれかに記載の空気入りタイヤの製造方法。
【請求項１０】
前記ビードワイヤの前記巻き回し終端部を除く前記ビードコアの本体部分の横断面形状が実質的に六角形となるように前記ビードワイヤを配列することを特徴とする請求項６〜８のいずれかに記載の空気入りタイヤの製造方法。
【発明の詳細な説明】
【技術分野】
【０００１】
本発明は、単一のビードワイヤからなるビードコアを備えた空気入りタイヤ及びその製造方法に関し、更に詳しくは、ビードワイヤの巻き回し終端部への応力集中に起因する周辺の部材の界面剥離を防止すると共に、巻き回し終端部の跳ね上がりを抑制することを可能にした空気入りタイヤ及びその製造方法に関する。
【背景技術】
【０００２】
空気入りタイヤのビード部には、ビードワイヤからなるビードコアと断面三角形状のゴム組成物からなるビードフィラーとが埋設されている。一般に、ビードコアは単一のビードワイヤを連続的に巻回して得られる複数の周回部分をタイヤ軸方向に並べると共にタイヤ径方向に積層することで形成されるが、その端末部は不連続な形状に起因する応力集中により周辺の部材を傷付けることがある。多くの場合、ビードコアはビードフィラーやカーカス層といった部材の界面に接しているため、低圧・高荷重下の走行では応力集中により界面剥離の起点となる可能性がある。
【０００３】
また、単一のビードワイヤからなるビードコアの場合、巻き回し終端部がビードコアの最外層のタイヤ軸方向両端部のいずれか一方に配置されることになるが、その部位はビードコアとビードフィラーとカーカス層との境界位置と一致する。そのため、ビードワイヤの巻き回し終端部がこれら部材間の界面剥離を誘発する恐れがある。
【０００４】
また、空気入りタイヤの製造過程ではカーカス層がビードコアの廻りに巻き上げられるが、カーカス層の張力によりビードワイヤの巻き回し終端部が跳ね上がってしまうこともある。そして、このようなビードワイヤの跳ね上がりを生じると、部材間の界面剥離だけでなく、跳ね上がった巻き回し終端部がタイヤから露出するような不具合を起こすこともある。
【０００５】
これら不都合に対する従来からの対策として、ビードコアの巻き回し始端部と巻き回し終端部が配置される部位に糸などの結束部材を巻き付けて、これら巻き回し始端部と巻き回し終端部を結束することが行われている（例えば、特許文献１，２参照）。
【０００６】
しかしながら、ビードコアの巻き回し始端部と巻き回し終端部が配置される部位に結束部材を巻き付けても、巻き回し終端部への応力集中に起因する周辺の部材の界面剥離を必ずしも防止することはできず、また、結束部材による結束が不十分であったりすると、その巻き回し終端部の跳ね上がりを押さえ込むことができない場合もある。
【先行技術文献】
【特許文献】
【０００７】
【特許文献１】特開２００４−３４５５３７号公報
【特許文献２】特開２０１０−１２０５８７号公報
【発明の概要】
【発明が解決しようとする課題】
【０００８】
本発明の目的は、ビードワイヤの巻き回し終端部への応力集中に起因する周辺の部材の界面剥離を防止すると共に、巻き回し終端部の跳ね上がりを抑制することを可能にした空気入りタイヤ及びその製造方法を提供することにある。
【課題を解決するための手段】
【０００９】
上記目的を達成するための本発明の空気入りタイヤは、単一のビードワイヤを連続的に巻回して得られる複数の周回部分をタイヤ軸方向に並べると共にタイヤ径方向に積層することで形成されたビードコアと、該ビードコアの径方向外側に配置された断面三角形状のゴム組成物からなるビードフィラーとをビード部に埋設した空気入りタイヤにおいて、前記ビードワイヤの巻き回し終端部を前記ビードコアの径方向の最外層に配置すると共に、前記巻き回し終端部をその内層の周回部分に対して交差させながら前記ビードフィラーの幅方向両端よりも中央側となる位置に配置し、その位置で前記巻き回し終端部を前記ビードコアと前記ビードフィラーとの間に挟み込んだことを特徴とするものである。
【００１０】
また、上記目的を達成するための本発明の空気入りタイヤの製造方法は、単一のビードワイヤを連続的に巻回して得られる複数の周回部分をタイヤ軸方向に並べると共にタイヤ径方向に積層することで形成されたビードコアと、該ビードコアの径方向外側に配置された断面三角形状のゴム組成物からなるビードフィラーとをビード部に埋設した空気入りタイヤを製造する方法において、前記ビードワイヤの巻き回し終端部を前記ビードコアの径方向の最外層に配置すると共に、前記巻き回し終端部をその内層の周回部分に対して交差させながら前記ビードフィラーの幅方向両端よりも中央側となる位置に配置し、その位置で前記巻き回し終端部を前記ビードコアと前記ビードフィラーとの間に挟み込んで該ビードコアと該ビードフィラーとからなるビード組立体を形成した後、該ビード組立体を含むグリーンタイヤを成形し、該グリーンタイヤを加硫することを特徴とするものである。
【発明の効果】
【００１１】
本発明では、単一のビードワイヤからなるビードコアを備えた空気入りタイヤにおいて、ビードワイヤの巻き回し終端部をビードコアの径方向の最外層に配置すると共に、該巻き回し終端部をその内層の周回部分に対して交差させながらビードフィラーの幅方向両端よりも中央側となる位置に配置し、その位置で巻き回し終端部をビードコアとビードフィラーとの間に挟み込むことにより、ビードコアとビードフィラーとカーカス層との界面付近でビードワイヤが終端することを回避し、その巻き回し終端部への応力集中に起因する周辺の部材の界面剥離を防止することができる。しかも、ビードワイヤの巻き回し終端部はビードコアとビードフィラーとの間でしっかりと保持されるので、巻き回し終端部の跳ね上がりを抑制することができる。そのため、巻き回し終端部の跳ね上がりに起因する故障等の不具合も防止することができる。
【００１２】
本発明において、ビードフィラーのビードコアと接する面には巻き回し終端部を内包する窪みを設けることが好ましい。ビードフィラーとビードコアとを互いに接合する前の状態において、ビードフィラーのビードコアと接する面に上記のような窪みを設けておくことにより、ビードワイヤの巻き回し終端部を所望の位置に押さえ込むことができるので、寸法安定性及び生産性を改善することができる。
【００１３】
また、ビードコアとビードフィラーとの間には巻き回し終端部の変位を抑制するための変位抑制部材を挿入することが好ましい。これにより、ビードワイヤの巻き回し終端部を所望の位置に押さえ込むことができるので、寸法安定性及び生産性を改善することができる。
【００１４】
本発明では、ビードワイヤの巻き回し終端部を除くビードコアの本体部分の横断面形状が実質的に四角形となるようにビードワイヤを配列したり、或いは、ビードワイヤの巻き回し終端部を除くビードコアの本体部分の横断面形状が実質的に六角形となるようにビードワイヤを配列することが可能である。いずれの場合も、ビードワイヤの巻き回し終端部への応力集中に起因する周辺の部材の界面剥離を防止すると共に、巻き回し終端部の跳ね上がりを抑制することが可能である。
【図面の簡単な説明】
【００１５】
【図１】本発明の実施形態からなる空気入りタイヤを示す子午線半断面図である。
【図２】図１の空気入りタイヤのビードコア及びビードフィラーを抽出して示す断面図である。
【図３】図１の空気入りタイヤのビードコアを抽出して径方向外側から見た状態を示す平面図である。
【図４】図２のビードコアとビードフィラーとを組み立てる際の状態を示す断面図である。
【図５】本発明におけるビードコア及びビードフィラーの変形例を示す断面図である。
【図６】図５のビードコアとビードフィラーとを組み立てる際の状態を示す断面図である。
【図７】本発明におけるビードコアの変形例を示す断面図である。
【図８】従来のビードコアの一例を示す断面図である。
【発明を実施するための形態】
【００１６】
以下、本発明の構成について添付の図面を参照しながら詳細に説明する。図１〜図４は本発明の実施形態からなる空気入りタイヤを示すものである。
【００１７】
図１において、１はトレッド部、２はサイドウォール部、３はビード部である。左右一対のビード部３，３間にはカーカス層４が装架されている。このカーカス層４は、タイヤ径方向に延びる複数本の補強コードを含み、各ビード部３に配置されたビードコア５の廻りにタイヤ内側から外側に巻き上げられている。カーカス層４の補強コードとしては、一般には有機繊維コードが使用されるが、スチールコードを使用しても良い。ビードコア５は、単一のビードワイヤＷを連続的に巻回して得られる複数の周回部分５ａをタイヤ軸方向に並べると共にタイヤ径方向に積層することで形成されている（図２参照）。ビードワイヤＷはゴム被覆されたものであるが、ここでは被覆ゴム層の表示が省略されている。ビードコア５の外周上には断面三角形状のゴム組成物からなるビードフィラー６が配置され、このビードフィラー６がカーカス層４の本体部分と巻き上げ部分により包み込まれている。ビードフィラー６のゴム組成物としては、２０℃でのＪＩＳ硬さが６０〜１００の範囲にある高硬度のゴム組成物が使用されている。ここで、ＪＩＳ硬さとはＪＩＳ−Ｋ６２５３に規定されるデュロメータ硬さであってＡタイプのデュロメータを用いて使用されるものである。
【００１８】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、ベルト層７の補強コードとしては、スチールコードが好ましく使用される。ベルト層７の外周側には、高速耐久性の向上を目的として、補強コードをタイヤ周方向に対して５°以下の角度で配列してなる少なくとも１層のベルトカバー層８を配置されている。ベルトカバー層８は少なくとも１本の補強コードを引き揃えてゴム被覆してなるストリップ材をタイヤ周方向に連続的に巻回したジョイントレス構造とすることが望ましい。また、ベルトカバー層８はベルト層７の幅方向の全域を覆うように配置しても良く、或いは、ベルト層７の幅方向外側のエッジ部のみを覆うように配置しても良い。ベルトカバー層８の補強コードとしては、ナイロンやアラミド等の有機繊維コードが好ましく使用される。
【００１９】
上述した空気入りタイヤにおいて、図２に示すように、ビードコア５は単一のビードワイヤＷを連続的に巻回して得られる複数の周回部分５ａを矢印に沿って変位させることにより、その本体部分が５列×３層の積層構造となるように構成されている。ビードワイヤＷの巻き回し終端部Ｅ（斜線部）はビードコア５の径方向の最外層に配置されている。また、図３に示すように、ビードワイヤＷの巻き回し終端部Ｅはその内層（最外層の直下の層）の周回部分５ａに対して交差しながらビードコア５の幅方向端部から中央側に向かって湾曲し、ビードフィラー６の幅方向両端よりも中央側となる位置に配置されている。そして、巻き回し終端部Ｅは上記位置においてビードコア５とビードフィラー６との間に挟み込まれた状態になっている。
【００２０】
このように単一のビードワイヤＷからなるビードコア５を備えた空気入りタイヤにおいて、ビードワイヤＷの巻き回し終端部Ｅをビードコア５の径方向の最外層に配置すると共に、該巻き回し終端部Ｅをその内層の周回部分５ａに対して交差させながらビードフィラー６の幅方向両端よりも中央側となる位置に配置し、その位置で巻き回し終端部Ｅをビードコア５とビードフィラー６との間に挟み込むことにより、ビードコア５とビードフィラー６とカーカス層４との界面付近でビードワイヤＷが終端することを回避し、その巻き回し終端部Ｅへの応力集中に起因する周辺の部材の界面剥離を防止することができる。しかも、ビードワイヤＷの巻き回し終端部Ｅはビードコア５とビードフィラー６との間でしっかりと保持されるので、巻き回し終端部Ｅの跳ね上がりを抑制し、それに起因する故障等の不具合も防止することができる。
【００２１】
上述の空気入りタイヤを製造する場合、ビードコア５の成形工程において、図４に示すように、ビードワイヤＷの巻き回し終端部Ｅをビードコア５の径方向の最外層に配置すると共に、巻き回し終端部Ｅをその内層の周回部分５ａに対して交差させながらビードフィラー６の幅方向両端よりも中央側となる位置に配置し、その位置で巻き回し終端部Ｅをビードコア５とビードフィラー６との間に挟み込んでビードコア５とビードフィラー６とからなるビード組立体９を形成する。
【００２２】
その際、ビードフィラー６のビードコア５と接する面には巻き回し終端部Ｅを内包する窪み６ａを設けると良い。このようにビードフィラー６とビードコア５とを互いに接合する前の状態において、ビードフィラー６のビードコア５と接する面に窪み６ａを設けておくことにより、ビードワイヤＷの巻き回し終端部Ｅを所望の位置に押さえ込むことができるので、寸法安定性及び生産性を改善することができる。特に、図４に示すように、ビードフィラー６の底面の幅方向中央部が最も窪むように窪み６ａに一対の傾斜面を設けた場合、巻き回し終端部Ｅをビードフィラー６の幅方向中央側へ寄せ易くなる。なお、ビードフィラー６の窪み６ａはタイヤ加硫後においてはビードワイヤＷの巻き回し終端部Ｅを包み込むように形状が変化する（図２参照）。
【００２３】
上述のようにビードコア５とビードフィラー６とからなるビード組立体９を形成した後、ビード組立体９を含むグリーンタイヤを成形し、該グリーンタイヤを加硫することにより、上記空気入りタイヤを得ることができる。
【００２４】
図５及び図６は本発明におけるビードコア及びビードフィラーの変形例を示すものである。図５において、ビードコア５とビードフィラー６との間にはビードワイヤＷの巻き回し終端部Ｅの変位を抑制するための変位抑制部材１０が挿入されている。この場合、図６に示すように、ビードワイヤＷの巻き回し終端部Ｅをビードコア５とビードフィラー６との間に挟み込んでビード組立体９を形成する際に、ビードコア５とビードフィラー６との間に変位抑制部材１０を挿入すれば良い。これにより、ビードワイヤＷの巻き回し終端部Ｅを所望の位置に押さえ込むことができるので、寸法安定性及び生産性を改善することができる。
【００２５】
変位抑制部材１０としては、例えば、金属板、高硬度ゴムシート、短繊維入り高硬度ゴムシート、布材を挙げることができる。金属板の場合、その構成材料としてはスチールやアルミニウム等を使用することができ、予め屈曲した形状に加工することが好ましい。高硬度ゴムシート及び短繊維入り高硬度ゴムシートの場合、その硬度はビードフィラー６よりも高いものとする。布材の場合、ビードコア５の周りに巻き付けるようにしても良い。このような変位抑制部材１０は、巻き回し終端部Ｅの変位を抑制することを目的とするものであるため、ビードコア５の周上においてビードワイヤＷの巻き回し終端部Ｅに対応する部位だけに局所的に配置すれば良い。例えば、ビードコア５の周方向に沿って測定される変位抑制部材１０の長さは５０ｍｍ〜１５０ｍｍの範囲に設定すれば良い。
【００２６】
図７は本発明におけるビードコアの変形例を示すものである。上述した各実施形態においては、ビードワイヤＷの巻き回し終端部Ｅを除くビードコア５の本体部分の横断面形状が実質的に四角形となるようにビードワイヤＷを配列した場合について説明したが、本発明では、図７に示すように、ビードワイヤＷの巻き回し終端部を除くビードコア５の本体部分の横断面形状が実質的に六角形となるようにビードワイヤＷを配列しても良い。ここで、ビードコア５の本体部分の横断面形状が実質的に六角形となる構造とは、ビードコア５の中間層に含まれる周回部分５ａの本数をそれぞれ最内層及び最外層に含まれる周回部分５ａの本数よりも多くした構造である。
【００２７】
このような場合も、ビードワイヤＷの巻き回し終端部Ｅをビードコア５の径方向の最外層に配置すると共に、該巻き回し終端部Ｅをその内層の周回部分５ａに対して交差させながらビードフィラー６の幅方向両端よりも中央側となる位置に配置し、その位置で巻き回し終端部Ｅをビードコア５とビードフィラー６との間に挟み込むことにより、ビードワイヤＷの巻き回し終端部Ｅへの応力集中に起因する周辺の部材の界面剥離を防止すると共に、巻き回し終端部Ｅの跳ね上がりを抑制することが可能である。
【実施例】
【００２８】
タイヤサイズ２０５／５５Ｒ１６で、単一のビードワイヤを連続的に巻回して得られる複数の周回部分をタイヤ軸方向に並べると共にタイヤ径方向に積層することで形成されたビードコアと、該ビードコアの径方向外側に配置された断面三角形状のゴム組成物からなるビードフィラーとをビード部に埋設した空気入りタイヤにおいて、ビード部の構造だけを以下のように種々異ならせた従来例１，２及び実施例１〜３のタイヤを製作した。
【００２９】
従来例１のタイヤでは、図８のようにビードコアを５列×３層の積層構造とし、ビードワイヤの巻き回し終端部を非結束とした。従来例２のタイヤでは、図８のようにビードコアを５列×３層の積層構造とし、ビードワイヤの巻き回し終端部を糸で結束した。これら従来例１，２のタイヤにおいて、巻き回し終端部はビードコアの最外層のタイヤ軸方向端部に配置される。
【００３０】
実施例１のタイヤでは、図２のようにビードコアの本体部分を５列×３層の積層構造とし、ビードワイヤの巻き回し終端部をビードコアとビードフィラーとの間に挟み込んだ。実施例２のタイヤでは、図７のようにビードコアの本体部分を３列＋５列＋３列の積層構造とし、ビードワイヤの巻き回し終端部をビードコアとビードフィラーとの間に挟み込んだ。実施例３のタイヤでは、図５のようにビードコアの本体部分を５列×３層の積層構造とし、ビードワイヤの巻き回し終端部をビードコアとビードフィラーとの間に挟み込み、かつビードコアとビードフィラーとの間に変位抑制部材を挿入した。変位抑制部材としては、ビードフィラーよりも硬いゴムシートを用いた。
【００３１】
これら試験タイヤについて、下記の評価方法により、生産性、巻き回し終端部の跳ね上がり量、巻き回し終端部の周辺部材の損傷度合いを評価し、その結果を表１に示した。
【００３２】
生産性：
各試験タイヤについて、ビードコアとビードフィラーとからなるビード組立体を生産する際の所要時間を測定した。評価結果は、従来例１と同等の生産性を有する場合を「○」で示し、従来例１よりも生産性が悪いが許容レベルである場合を「△」で示し、従来例１に比べて生産性の悪化が著しい場合を「×」で示した。
【００３３】
巻き回し終端部の跳ね上がり量：
各試験タイヤについて、加硫後にタイヤを解体し、ビードワイヤの巻き回し終端部の跳ね上がり量を測定した。
【００３４】
巻き回し終端部の周辺部材の損傷度合い：
各試験タイヤをリムサイズ１６×６．５Ｊのホイールに組み付けてドラム試験機に装着し、空気圧１２０ｋＰａ、荷重６．２ｋＮ、速度８０ｋｍ／ｈの条件にて５０００ｋｍの走行試験を実施した後にタイヤを解体し、ビードワイヤの巻き回し終端部の周辺部材の損傷度合いを評価した。評価結果は、周辺部材に損傷が全く認められない場合を「○」で示し、周辺部材に僅かな界面剥離が認められる場合を「△」で示し、周辺部材に界面剥離による顕著な損傷が認められる場合を「×」で示した。
【００３５】
【表１】
2013141919.tif 000003
【００３６】
表１から判るように、従来例１，２のタイヤにおいては、ビードワイヤの巻き回し終端部への応力集中に起因して周辺の部材に界面剥離が発生し、しかも巻き回し終端部には比較的大きな跳ね上がりが発生していた。これに対して、実施例１〜３のタイヤでは、ビードワイヤの巻き回し終端部への応力集中に起因する周辺の部材の損傷が防止され、巻き回し終端部の跳ね上がりも抑制されていた。
【符号の説明】
【００３７】
１  トレッド部
２  サイドウォール部
３  ビード部
４  カーカス層
５  ビードコア
５ａ  周回部分
６  ビードフィラー
６ａ  窪み
７  ベルト層
８  ベルトカバー層
９  ビード組立体
１０  変位抑制部材
Ｗ  ビードワイヤ
Ｅ  巻き回し終端部
【図１】
2013141919.tif 000004
【図２】
2013141919.tif 000005
【図３】
2013141919.tif 000006
【図４】
2013141919.tif 000007
【図５】
2013141919.tif 000008
【図６】
2013141919.tif 000009
【図７】
2013141919.tif 000010
【図８】
2013141919.tif 000011